(57)【要約】【課題】本発明は、畝立てを行ってからタバコなどの苗を植えるまでの間の雑草の繁茂を抑え、農作業を円滑に行うことができ、更に、苗の生育を確保することができる畝の被覆構造及び畝の被覆方法を提供する。【解決手段】本発明の畝の被覆構造は、幅方向の中央部が植物の光合成に必要な光を光合成に必要な光量で透過可能な光透過部11に且つ幅方向の両端部が植物の光合成に必要な光を制限して光合成に必要な光量未満とする光制限部12、12に形成された長尺状の第一被覆フィルム１で畝が全面的に被覆されていると共に、全面が植物の光合成に必要な光を制限して光合成に必要な光量未満とする光制限部とされた長尺状の第二被覆フィルム２で上記第一被覆フィルム１の光透過部11を全面的に被覆していることを特徴とする。【選択図】  図２
2007185126.tif 000002
【特許請求の範囲】
【請求項１】
幅方向の中央部が光透過部であって該光透過部を透過した透過光によって植物が光合成をして生育可能に形成され且つ幅方向の両端部が光制限部であって該光制限部を透過した透過光では植物が生育できないように形成されている長尺状の第一被覆フィルムで畝が全面的に被覆されていると共に、全面が光制限部とされ該光制限部を透過した透過光では植物が生育できないように形成されている長尺状の第二被覆フィルムで上記第一被覆フィルムの光透過部を全面的に被覆していることを特徴とする畝の被覆構造。
【請求項２】
幅方向の中央部が光透過部であって該光透過部は４００〜７００ｎｍの波長領域にて何れの波長においても光線透過率が４０％以上であり且つ幅方向の両端部が光制限部であって該光制限部は４００〜７００ｎｍの波長領域にて何れの波長においても光線透過率が３０％以下である長尺状の第一被覆フィルムで畝が全面的に被覆されていると共に、全面が光制限部とされ該光制限部は４００〜７００ｎｍの波長領域にて何れの波長においても光線透過率が３０％以下である長尺状の第二被覆フィルムで上記第一被覆フィルムの光透過部を全面的に被覆していることを特徴とする畝の被覆構造。
【請求項３】
第二被覆フィルムの両端部に一体的に設けられた粘着部を第一被覆フィルムの光制限部に貼着一体化させていることを特徴とする請求項１又は請求項２に記載の畝の被覆構造。
【請求項４】
第二被覆フィルムをその粘着部が第一被覆フィルムに残存した状態で除去可能に構成しており、上記第二被覆フィルムを除去した後における上記第一被覆フィルム上に残存した粘着部と、上記第一被覆フィルムの光透過部との間に存在する上記第一被覆フィルムの光制限部を、上記第二被覆フィルムを除去した後に上記第一被覆フィルムの光透過部上に被覆させる保護フィルムの両端部を貼着一体化させるための貼着部としていることを特徴とする請求項１乃至請求項３の何れか１項に記載の畝の被覆構造。
【請求項５】
第一被覆フィルムの光制限部及び第二被覆フィルムの光制限部には、カーボンブラックが含有されていることを特徴とする請求項１乃至請求項４の何れか１項に記載の畝の被覆構造。
【請求項６】
幅方向の中央部が光透過部であって該光透過部を透過した透過光によって植物が光合成をして生育可能に形成され且つ幅方向の両端部が光制限部であって該光制限部を透過した透過光では植物が生育できないように形成されている長尺状の第一被覆フィルムで畝を全面的に被覆した後、全面が光制限部とされ該光制限部を透過した透過光では植物が生育できないように形成されている長尺状の第二被覆フィルムをその幅方向の両端部に一体的に設けられた粘着部を上記第一被覆フィルムの光制限部上に貼着一体化させることによって、上記第一被覆フィルムの光透過部を上記第二被覆フィルムによって全面的に被覆することを特徴とする畝の被覆方法。
【請求項７】
幅方向の中央部が光透過部であって該光透過部は４００〜７００ｎｍの波長領域にて何れの波長においても光線透過率が４０％以上であり且つ幅方向の両端部が光制限部であって該光制限部は４００〜７００ｎｍの波長領域にて何れの波長においても光線透過率が３０％以下である長尺状の第一被覆フィルムで畝を全面的に被覆した後、全面が光制限部とされ該光制限部は４００〜７００ｎｍの波長領域にて何れの波長においても光線透過率が３０％以下である長尺状の第二被覆フィルムをその幅方向の両端部に一体的に設けられた粘着部を上記第一被覆フィルムの光制限部上に貼着一体化させることによって、上記第一被覆フィルムの光透過部を上記第二被覆フィルムによって全面的に被覆することを特徴とする畝の被覆方法。
【請求項８】
第二被覆フィルムをその粘着部が第一被覆フィルム上に残存した状態に畝上から剥離、除去した後、上記第一被覆フィルム上に残存した粘着部と、第一被覆フィルムの光透過部との間に存在する第一被覆フィルムの光制限部に、両端部が伸長自在に折り畳まれた保護フィルムの両端部を貼着一体化させることを特徴とする請求項６又は請求項７に記載の畝の被覆方法。
【請求項９】
第一被覆フィルムの光制限部及び第二被覆フィルムの光制限部には、カーボンブラックが含有されていることを特徴とする請求項６乃至請求項８の何れか１項に記載の畝の被覆方法。
【発明の詳細な説明】
【技術分野】
【０００１】
本発明は、タバコの苗などの被覆栽培に用いられる畝の被覆構造及び畝の被覆方法に関する。
【背景技術】
【０００２】
従来から、タバコなどを畑栽培するにあたっては、通常、１１月頃の農閑期に畝立てを行い、この畝が風雨などによって崩れるのを防止すると共に、後日、畝に植える苗の保温のために畝全体を被覆フィルムで被覆している。
【０００３】
そして、２月中旬頃に、畝を被覆している被覆フィルムの上端部に畝の長さ方向に所定間隔ごとに植孔を形成し、この植孔に苗を植えつけ、更に、霜除けや病害虫の予防などを目的として、苗を保護フィルムでトンネル状に被覆、保護している（特許文献１参照）。
【０００４】
しかしながら、上述のように、畝立ては農閑期の１１月頃に行われた後、タバコの苗を植えるまでに３〜４カ月程度あり、この間に畝に雑草が繁茂し、このような雑草が生えた畝にタバコの苗を植えても雑草に栄養分を取られてしまいタバコを上手く栽培することができないことから、畝に繁茂した雑草を取り除いた上でタバコの苗を植えていたものの、畝は全面的に被覆フィルムで被覆されていることから畝に繁茂した雑草の除去作業は面倒であり、雑草を完全に除去することができないといった問題点を有していた。
【０００５】
又、上述のように雑草が繁茂するのを防止するために農薬を使用することも考えられるが、環境衛生上の観点から農薬の使用をできるだけ減らすことが要望されていた。
【０００６】
【特許文献１】特公平７−５５１０８号公報
【発明の開示】
【発明が解決しようとする課題】
【０００７】
本発明は、畝立てを行ってからタバコなどの苗を植えるまでの間の雑草の繁茂を農薬を使用することなく抑え、農作業を円滑に行うことができ、更に、苗の生育を確保することができる畝の被覆構造及び畝の被覆方法を提供する。
【課題を解決するための手段】
【０００８】
本発明の畝の被覆構造は、幅方向の中央部が光透過部であって該光透過部を透過した透過光によって植物が光合成をして生育可能に形成され且つ幅方向の両端部が光制限部であって該光制限部を透過した透過光では植物が生育できないように形成されている長尺状の第一被覆フィルムで畝が全面的に被覆されていると共に、全面が光制限部とされ該光制限部を透過した透過光では植物が生育できないように形成されている長尺状の第二被覆フィルムで上記第一被覆フィルムの光透過部を全面的に被覆していることを特徴とする。
【０００９】
そして、本発明の畝の被覆構造は、幅方向の中央部が光透過部であって該光透過部は４００〜７００ｎｍの波長領域にて何れの波長においても光線透過率が４０％以上であり且つ幅方向の両端部が光制限部であって該光制限部は４００〜７００ｎｍの波長領域にて何れの波長においても光線透過率が３０％以下である長尺状の第一被覆フィルムで畝が全面的に被覆されていると共に、全面が光制限部とされ該光制限部は４００〜７００ｎｍの波長領域にて何れの波長においても光線透過率が３０％以下である長尺状の第二被覆フィルムで上記第一被覆フィルムの光透過部を全面的に被覆していることを特徴とする。
【００１０】
又、上記畝の被覆構造において、第二被覆フィルムの両端部に一体的に設けられた粘着部を第一被覆フィルムの光制限部に貼着一体化させていることを特徴とする。
【００１１】
更に、上記畝の被覆構造において、第二被覆フィルムをその粘着部が第一被覆フィルムに残存した状態で除去可能に構成しており、上記第二被覆フィルムを除去した後における上記第一被覆フィルム上に残存した粘着部と、上記第一被覆フィルムの光透過部との間に存在する上記第一被覆フィルムの光制限部を、上記第二被覆フィルムを除去した後に上記第一被覆フィルムの光透過部上に被覆させる保護フィルムの両端部を貼着一体化させるための貼着部としていることを特徴とする。
【００１２】
そして、上記畝の被覆構造において、第一被覆フィルムの光制限部及び第二被覆部の光制限部には、カーボンブラックが含有されていることを特徴とする。
【００１３】
更に、本発明の畝の被覆方法は、幅方向の中央部が光透過部であって該光透過部を透過した透過光によって植物が光合成をして生育可能に形成され且つ幅方向の両端部が光制限部であって該光制限部を透過した透過光では植物が生育できないように形成されている長尺状の第一被覆フィルムで畝を全面的に被覆した後、全面が光制限部とされ該光制限部を透過した透過光では植物が生育できないように形成されている長尺状の第二被覆フィルムをその幅方向の両端部に一体的に設けられた粘着部を上記第一被覆フィルムの光制限部上に貼着一体化させることによって、上記第一被覆フィルムの光透過部を上記第二被覆フィルムによって全面的に被覆することを特徴とする。
【００１４】
又、本発明の畝の被覆方法は、幅方向の中央部が光透過部であって該光透過部は４００〜７００ｎｍの波長領域にて何れの波長においても光線透過率が４０％以上であり且つ幅方向の両端部が光制限部であって該光制限部は４００〜７００ｎｍの波長領域にて何れの波長においても光線透過率が３０％以下である長尺状の第一被覆フィルムで畝を全面的に被覆した後、全面が光制限部とされ該光制限部は４００〜７００ｎｍの波長領域にて何れの波長においても光線透過率が３０％以下である長尺状の第二被覆フィルムをその幅方向の両端部に一体的に設けられた粘着部を上記第一被覆フィルムの光制限部上に貼着一体化させることによって、上記第一被覆フィルムの光透過部を上記第二被覆フィルムによって全面的に被覆することを特徴とする。
【００１５】
そして、上記畝の被覆方法において、第二被覆フィルムをその粘着部が第一被覆フィルム上に残存した状態に畝上から剥離、除去した後、上記第一被覆フィルム上に残存した粘着部と、第一被覆フィルムの光透過部との間に存在する第一被覆フィルムの光制限部に、両端部が伸長自在に折り畳まれた保護フィルムの両端部を貼着一体化させることを特徴とする。
【００１６】
最後に、上記畝の被覆方法において、第一被覆フィルムの光制限部及び第二被覆フィルムの光制限部には、カーボンブラックが含有されていることを特徴とする。
【発明の効果】
【００１７】
本発明の畝の被覆構造は、幅方向の中央部が光透過部であって該光透過部を透過した透過光によって植物が光合成をして生育可能に形成され且つ幅方向の両端部が光制限部であって該光制限部を透過した透過光では植物が生育できないように形成されている長尺状の第一被覆フィルムで畝が全面的に被覆されていると共に、全面が光制限部とされ該光制限部を透過した透過光では植物が生育できないように形成されている長尺状の第二被覆フィルムで上記第一被覆フィルムの光透過部を全面的に被覆していることを特徴とし、或いは、幅方向の中央部が光透過部であって該光透過部は４００〜７００ｎｍの波長領域にて何れの波長においても光線透過率が４０％以上であり且つ幅方向の両端部が光制限部であって該光制限部は４００〜７００ｎｍの波長領域にて何れの波長においても光線透過率が３０％以下である長尺状の第一被覆フィルムで畝が全面的に被覆されていると共に、全面が光制限部とされ該光制限部は４００〜７００ｎｍの波長領域にて何れの波長においても光線透過率が３０％以下である長尺状の第二被覆フィルムで上記第一被覆フィルムの光透過部を全面的に被覆していることを特徴とするので、畝は全面的に第一、第二被覆フィルムによって完全に被覆され、雑草が生育するのに必要な光が雑草の光合成に必要な光量以上に畝には供給されず、よって、畝立てをしてから定植するまでに長期間に亘って放置した状態であっても、農薬を使用しないにもかかわらず、畝には雑草は繁茂せず、その後に行われる定植時に雑草を除去する必要もなく、農作業を効率良く行うことができる。
【００１８】
そして、定植時においても、第二被覆フィルムを剥離、除去するだけで第一被覆フィルムの光透過部を全面的に簡単に露出させることができ、苗の植えつけを円滑に行うことができる。
【００１９】
又、上記畝の被覆構造において、第二被覆フィルムの両端部に一体的に設けられた粘着部を第一被覆フィルムの光制限部に貼着一体化させている場合には、第二被覆フィルムの粘着部と、これに対向する第一被覆フィルムの光制限部との間に殆ど隙間を形成することなく、第一被覆フィルムの光透過部を第二被覆フィルムによって確実に被覆させておくことができ、畝に雑草が繁茂するのをより確実に防止することができる。
【００２０】
更に、上記畝の被覆構造において、第二被覆フィルムをその粘着部が第一被覆フィルムに残存した状態で除去可能に構成しており、上記第二被覆フィルムを除去した後における上記第一被覆フィルム上に残存した粘着部と、上記第一被覆フィルムの光透過部との間に存在する上記第一被覆フィルムの光制限部を、上記第二被覆フィルムを除去した後に上記第一被覆フィルムの光透過部上に被覆させる保護フィルムの両端部を貼着一体化させるための貼着部としている場合には、保護フィルムの両端部を第一被覆フィルムに形成された貼着部に貼着一体化させることによって、保護フィルムの大きさをできるだけ小さいものとし、風などの影響をできるだけ小さくして、保護フィルムが風などによって不測に苗上から離脱してしまうといった不測の事態を防止し、保護フィルムによって畝に植えつけた苗を寒さや霜から確実に保護し、苗の生育を確実なものとすることができる。
【００２１】
又、上記畝の被覆構造において、第一被覆フィルムの光制限部及び第二被覆フィルムの光制限部にカーボンブラックが含有されている場合には、雑草が生育に必要とする光が、雑草が光合成に必要な光量以上に畝に供給されることをより確実に防止することができ、畝立てから定植までの間に畝に雑草が繁茂するのをより確実に防止することができると共に、カーボンブラックによって第一被覆フィルム及び第二被覆フィルムの劣化を防止して畝を長期間に亘ってより確実に被覆しておくことができる。
【発明を実施するための最良の形態】
【００２２】
本発明の畝の被覆構造の一例を図面を参照しつつ説明する。図１及び図２に示したように、畑に形成された畝Ａの全面に長尺状の合成樹脂製の第一被覆フィルム１が被覆されている。この第一被覆フィルム１は、その幅方向の中央部を全長に亘って光透過部11とし、この光透過部11を透過した透過光によって植物が光合成をして生育可能に構成されていると共に、幅方向の両端部、即ち、上記光透過部11を除いた残余部分の全体をその全長に亘って光を制限する光制限部12、12とし、この光制限部12、12を透過した透過光では植物が充分に光合成をすることができずに生育できないように構成されており、光透過部11を通じて畝の上端部、即ち、幅方向の中央部に日光が充分に照射される一方、光制限部12、12によって畝の両側部、即ち、幅方向の両端部には日光が殆ど或いは全く照射されないように構成されている。
【００２３】
具体的には、上記光透過部11は、光合成に必要な光を透過可能なように透明に形成され、無色透明の他に有色透明であってもよく、光透過部11を透過した透過光によって、光透過部11で被覆された畝Ａ部分に植えられた苗が光合成をして生育することができればよく、このような観点から、光透過部11は、植物の光合成に必要な波長領域の光の光線透過率が４０％以上であること、換言すれば、植物の光合成に有効な波長領域である４００〜７００ｎｍの波長領域にて何れの波長においても光線透過率が４０％以上となるように形成されていることが好ましい。
【００２４】
又、上記光制限部12は、植物の光合成に必要な光を制限するように形成されており、光制限部12を透過した透過光では植物が充分に光合成をすることができず、植物が生育できないように形成されており、具体的には、光制限部12における植物の光合成に必要な波長領域の光の光線透過率が３０％以下であることが好ましく、１０％以下であることがより好ましく、１％以下であることが特に好ましく、更に詳細には、光制限部12は、植物の光合成に有効な波長領域である４００〜７００ｎｍの波長領域にて何れの波長においても光線透過率が３０％以下となるように形成されていることが好ましく、１０％以下となるように形成されていることがより好ましく、１％以下となるように形成されていることが特に好ましい。
【００２５】
なお、本発明において、被覆フィルムの光線透過率は、紫外・可視・近赤外分光光度計を用いて、２００〜２６００ｎｍの波長領域において、波長を２００ｎｍから２６００ｎｍに連続的に上げていき、２００〜２６００ｎｍの波長領域における被覆フィルムの光線透過率を連続的に測定すればよい。
【００２６】
第一被覆フィルム１を構成している合成樹脂としては、特に限定されず、例えば、低密度ポリエチレン、中密度ポリエチレン、高密度ポリエチレン、直鎖状低密度ポリエチレン、エチレン−α−オレフィン共重合体、エチレン−酢酸ビニル共重合体などのポリエチレン系樹脂、ホモポリプロピレン、プロピレン−α−オレフィン共重合体、プロピレン−酢酸ビニル共重合体などのポリプロピレン系樹脂などのポリオレフィン系樹脂；ポリ塩化ビニル系樹脂；ポリエステル系樹脂；ポリメチルメタクリレート系樹脂；ポリカーボネート系樹脂などが挙げられ、ポリオレフィン系樹脂が好ましく、高密度ポリエチレンと直鎖状低密度ポリエチレンとを併用することがより好ましい。なお、合成樹脂は、単独で使用されても、二種類以上が併用されてもよい。
【００２７】
なお、エチレン−α−オレフィン共重合体を構成するα−オレフィンとしては、例えば、プロピレン、１−ブテン、４−メチル−１−ペンテン、１−ヘキセン、１−オクテンなどが挙げられ、又、プロピレン−α−オレフィン共重合体を構成するα−オレフィンとしては、例えば、エチレン、１−ブテン、４−メチル−１−ペンテン、１−ヘキセン、１−オクテンなどが挙げられる。
【００２８】
そして、第一被覆フィルム１の光透過部11には、植物の光合成に必要な光を充分に苗に供給できるように着色剤は含有されていないことが好ましい一方、第一被覆フィルム１の光制限部12には着色剤が含有されることにより着色されており、植物の光合成に必要な光を制限して畝に雑草が繁茂しないようにしている。
【００２９】
第一被覆フィルム１の光制限部12に含有させる着色剤としては顔料が好ましく、このような顔料としては、特に限定されず、例えば、カーボンブラック、ジオキサジンバイオレット、フタロシアニンブルー、ダイアモンドグリーンレーキ、ピグメントグリーンＢ、グリーンゴールド、フタロシアニングリーンなどが挙げられ、カーボンブラックが好ましい。なお、着色剤は単独で用いられても二種以上が併用されてもよい。
【００３０】
第一被覆フィルム１の光制限部12に含有されている着色剤の量としては、光制限部12で被覆された畝部分にある植物が光制限部12を透過した光では光合成を充分にできずに生育することができない程度に光制限部12が着色されるように調整されればよく、具体的には、第一被覆フィルムの光制限部12を構成する合成樹脂１００重量部に対して２〜２０重量部が好ましい。
【００３１】
第一被覆フィルム１の製造方法としては、例えば、下記の製造方法が挙げられる。先ず、一のインフレーションダイに第一〜三押出機を６０°の位相差でもって等間隔に接続させた被覆フィルムの製造装置を用意する。
【００３２】
そして、光透過部11を形成する着色剤を含有しない熱可塑性樹脂を第一押出機に、光制限部12を形成する熱可塑性樹脂及び所定量の着色剤からなる熱可塑性樹脂組成物を第二、第三の押出機に供給して溶融混練し、第一〜三押出機で溶融混練した熱可塑性樹脂をインフレーションダイに供給して合流させて、所定幅を有する透明部と、この透明部を除いた残余部分からなる有色部とからなる円筒状体を形成し、この円筒状体の有色部をその幅方向の中央部から押出方向に連続的に内外周面間に亘って切断することによって、幅方向の中央部に形成された、透明部からなる光透過部と、幅方向の両端部に形成され且つ光透過部の両端縁から連続して形成された、有色部からなる光制限部とよりなる第一被覆フィルムを製造することができる。
【００３３】
更に、上記第一被覆フィルム１の光透過部11上にはその全長に亘って長尺状の第二被覆フィルム２が全面的に被覆されている。この第二被覆フィルム２は、図１乃至図３に示したように、第一被覆フィルム１の光透過部11の幅よりも幅広に且つ全面が植物の光合成に必要な光を制限する光制限部とされている。更に、第二被覆フィルム２の両端部の全長には、基材の下面に粘着剤層が積層一体化されてなる長尺状の粘着テープ21が、その一部を第二被覆フィルム２の両端縁から幅方向に突出させ且つ粘着剤層を下方に向けた状態にして一体化されており、粘着テープ21、21の突出端部を粘着部21a、21aとしている。なお、図２及び図３において、粘着テープ21の詳細な層構成については省略した。又、第二被覆フィルム２の両端部下面に該第二被覆フィルム２の両端縁に沿って一定幅に粘着剤を積層一体化させることによって粘着部を形成してもよい。
【００３４】
上記第二被覆フィルム２は、着色剤を含有させることによって着色され、植物の光合成に必要な光を制限するように形成されており、第二被覆フィルム２を透過した透過光では植物が充分に光合成をして生育することができないように形成されている。具体的には、第二被覆フィルム２における植物の光合成に必要な波長領域の光の光線透過率が３０％以下であることが好ましく、１０％以下であることがより好ましく、１％以下であることが特に好ましく、更に詳細には、第二被覆フィルム２は、植物の光合成に有効な波長領域である４００〜７００ｎｍの波長領域にて何れの波長においても光線透過率が３０％以下となるように形成されていることが好ましく、１０％以下となるように形成されていることがより好ましく、１％以下となるように形成されていることが特に好ましい。なお、第二被覆フィルム２に含有される着色剤としては第一被覆フィルム１の光制限部12を形成するために用いられる着色剤と同様のものが用いられる。
【００３５】
第二被覆フィルム２に含有されている着色剤の量としては、第二被覆フィルム２で被覆された畝部分にある植物が第二被覆フィルム２を透過した光では光合成を充分にすることができずに生育することができない程度に第二被覆フィルム２が着色されるように調整されればよく、具体的には、第二被覆フィルムを構成する合成樹脂１００重量部に対して２〜２０重量部が好ましい。
【００３６】
更に、第二被覆フィルム２の上面における粘着テープ21の端縁から幅方向の中央部方向に所定間隔だけ存した部分には、その全長に亘って長尺状の補強テープ22、22が粘着テープ21の端縁に沿った状態に貼着一体化されており、補強テープ22と粘着テープ21との対向端面間にある第二被覆フィルム部分を切断部23としている。
【００３７】
そして、第二被覆フィルム２の両端部に一体的に設けられた粘着部21a 、21a を第一被覆フィルム１の光制限部12、12における光透過部11の両端縁から幅方向に所定間隔だけ存した部分に全長に亘って貼着一体化させることによって、第二被覆フィルム２の両端部と、これに対向する第一被覆フィルム１の光制限部12、12との間に隙間を生じさせることなく、第一被覆フィルム１の光透過部11は第二被覆フィルム２により全面的に且つ完全に被覆された状態となっている。
【００３８】
従って、畝Ａの幅方向の両端部は第一被覆フィルム１の光制限部12、12によって、畝の上端部は第二被覆フィルム２によって完全に被覆されており、畝Ａは、その全長に亘って第一、第二被覆フィルム１、２によって完全に被覆された状態となっており、植物が光合成に必要な光は畝Ａには必要量、照射されず、畝Ａに雑草が繁茂することはない。
【００３９】
次に、畝Ａの被覆要領について説明する。先ず、上述したように、例えば、タバコの畑栽培は畝立てが１１月頃に行われ、畑に畝Ａが形成される。次に、巻回状態とされた長尺状の第一被覆フィルム１を用意する。そして、この第一被覆フィルム１を巻き出しながら、畝Ａにその全長に亘って第一被覆フィルム１をその光透過部11が畝Ａの幅方向の中央部、即ち、畝の上端部に位置するように調整しながら被覆させる。なお、第一被覆フィルム１の幅方向の両端部を土壌中に埋没させることによって第一被覆フィルム１が風雨によって畝Ａから離脱しないようにしておく。
【００４０】
続いて、巻回状態とされた長尺状の第二被覆フィルム２を用意する。そして、この第二被覆フィルム２を巻き出しながら、第一被覆フィルム１の光透過部11上に、第二被覆フィルム２を重ね合わせながら、第二被覆フィルム２の粘着部21a 、21a を、第一被覆フィルム１の光制限部12、12における光透過部11の両端縁から幅方向に所定間隔だけ離間した部分に貼着一体化させることによって、第一被覆フィルム１の光透過部11を第二被覆フィルム２によって全長に亘って完全に被覆する。
【００４１】
この状態で、２月頃の定植の時期まで放置しておくが、畝Ａは、第一、第二被覆フィルム１、２によって完全に被覆された状態とされており、植物が光合成に必要な光が光合成に必要な光量以上に畝Ａには照射されないので、畝Ａに雑草が不測に繁茂するようなことはない。
【００４２】
そして、２月頃の定植の時期となると、図４及び図５に示したように、第二被覆フィルム２をその中央部を手で把持して上方に引っ張ることによって切断部23、23から切断して、第二被覆フィルム２をその粘着部21a 、21a が第一被覆フィルム１の光制限部12、12上に残存した状態に剥離、除去し、第一被覆フィルム１の光透過部11をその全長に亘って完全に露出した状態とする。
【００４３】
この状態において、第一被覆フィルム１上に残存した第二被覆フィルム２の粘着部21a 、21a と、これに対向する第一被覆フィルム１の光透過部11の端縁との間に存在する第一被覆フィルム１の光制限部12、12を後述する保護フィルム３の貼着部13、13とする。
【００４４】
次に、第一被覆フィルム１の光透過部11にその長さ方向に所定間隔毎に植孔11a を形成し、この植孔11a を通じて畝の上端部にタバコの苗Ｇを植え、このタバコの苗Ｇを霜や寒さから保護するために長尺状の保護フィルム３で被覆し保護する（図６参照）。
【００４５】
上記保護フィルム３はその全面が、該保護フィルム３を透過した透過光によって植物が光合成をして生育可能なように透明に形成されていると共に両端部は伸長自在に折り畳まれて伸長部とされており、タバコの苗が生育しタバコの苗が保護フィルム３を上方に向かって押し上げると両端部の伸長部が伸長してタバコの苗の生育を妨げないように構成されている。
【００４６】
更に、保護フィルム３の両端部の全長には、基材の下面に粘着剤層が積層一体化されてなる粘着テープ31が、その一部を保護フィルム３の両端縁から幅方向に突出させ且つ粘着剤層を下方に向けた状態にして一体化されており、粘着テープ31、31の突出端部を粘着部31a 、31a としている。なお、図６において、粘着テープ31の詳細な層構成については省略した。又、保護フィルム３の両端部下面に該保護フィルム３の両端縁に沿って一定幅に粘着剤を積層一体化させることによって粘着部を形成してもよい。
【００４７】
そして、保護フィルム３の粘着部31a 、31a を第一被覆フィルム１の貼着部13、13に貼着一体化することによって、タバコの苗を保護フィルム３で上方から覆って霜や雨風、寒さなどから保護し、タバコの苗が円滑に生育するように保護する。
【００４８】
上述したように、第一被覆フィルム１上に残存した第二被覆フィルム２の粘着部21a 、21a と、第一被覆フィルム１の光透過部11との間に存在する第一被覆フィルム１の光制限部12、12を、保護フィルム３の両端部を貼着一体化させるための貼着部13、13としていることから、保護フィルム３を第一被覆フィルム１上に簡単に且つ確実に配設することができ、農作業の効率化を図ることができる。
【実施例】
【００４９】
（実施例１）
一のインフレーションダイに第一〜三押出機を６０°の位相差でもって等間隔に接続させた被覆フィルムの製造装置を用意した。そして、高密度ポリエチレン（旭化成社製  商品名「サンテックＦ１８」）７０重量部及び直鎖状低密度ポリエチレン（日本ポリエチレン社製  商品名「ＵＡ４２４ＡＧ  ノバテックＬＬ」）３０重量部を第一押出機に、高密度ポリエチレン（旭化成社製  商品名「サンテックＦ１８」）７０重量部、直鎖状低密度ポリエチレン（日本ポリエチレン社製  商品名「ＵＡ４２４ＡＧ  ノバテックＬＬ」）３０重量部、並びに、直鎖状低密度ポリエチレン６０重量％及びカーボンブラック４０重量％からなるマスターバッチ（東京インキ社製  商品名「ＰＥＸ９９８０２０ＢＬＡＣＫＡＬ」）１０重量部を第二、第三の押出機にそれぞれ供給して溶融混練し、第一〜三押出機で溶融混練した熱可塑性樹脂をインフレーションダイに供給して合流させて、所定幅を有する透明部と、この透明部を除いた残余部分からなる有色部とからなる円筒状体を形成し、この円筒状体の有色部をその幅方向の中央部から押出方向に連続的に内外周面間に亘って切断することによって、幅方向の中央部に形成された透明部からなる光透過部と、幅方向の両端部に上記光透過部の両端縁から連続して形成された有色部からなる光制限部とよりなる厚さが３０μｍの長尺状の第一被覆フィルムを製造した。なお、第一被覆フィルムの光透過部は、４００〜７００ｎｍの波長領域にて何れの波長においても光線透過率が８５％以上であり、光制限部は、４００〜７００ｎｍの波長領域にて何れの波長においても光線透過率が０．５％以下であった。
【００５０】
一方、高密度ポリエチレン（旭化成社製  商品名「サンテックＦ１８」）７０重量部、直鎖状低密度ポリエチレン（日本ポリエチレン社製  商品名「ＵＡ４２４ＡＧ  ノバテックＬＬ」）３０重量部、並びに、直鎖状低密度ポリエチレン６０重量％及びカーボンブラック４０重量％からなるマスターバッチ（東京インキ社製  商品名「ＰＥＸ９９８０２０ＢＬＡＣＫＡＬ」）１０重量部を上記とは別に用意した押出機に供給して溶融混練して押出機からフィルム状に押出して厚さが３０μｍの長尺状の第二被覆フィルムを製造した。なお、第二被覆フィルムは、その全体が４００〜７００ｎｍの波長領域にて何れの波長においても光線透過率が０．５％以下であった。
【００５１】
次に、上記第二被覆フィルムの両端部の全長に、基材の下面に粘着剤層が積層一体化されてなる長尺状の粘着テープをそれぞれ、その一部を第二被覆フィルムの両端縁から幅方向に突出させ且つ粘着剤層を下方に向けた状態にして一体化させた。
【００５２】
更に、上記第二被覆フィルムの上面における粘着テープの端縁から幅方向の中央部方向に所定間隔だけ存した部分に、その全長に亘って長尺状の補強テープを粘着テープの端縁に沿った状態に貼着一体化した。
【００５３】
そして、畑に畝を形成した上で、この畝にその全長に亘って第一被覆フィルムをその光透過部が畝の幅方向の中央部に位置するように調整しながら被覆し、続いて、第一被覆フィルムの光透過部上に第二被覆フィルムを重ね合わせながら、第二被覆フィルムの粘着部を、第一被覆フィルムの光制限部における光透過部の両端縁から幅方向に所定間隔だけ離間した部分に貼着一体化させることによって、第一被覆フィルムの光透過部を第二被覆フィルムによって全長に亘って完全に被覆して畝の被覆構造を作製した。
【００５４】
この状態で１１月頃から２月頃の４カ月間に亘って放置したが、畝には雑草は生育しておらず、その後のタバコの苗の定植も円滑に行うことができた。
【図面の簡単な説明】
【００５５】
【図１】本発明の畝の被覆構造を示した斜視図である。
【図２】図１のII−II線断面図である。
【図３】第二被覆フィルムを示した斜視図である。
【図４】第二被覆フィルムを剥離、除去した状態を示した斜視図である。
【図５】図４のＶ−Ｖ線断面図である。
【図６】畝に植えた苗を保護フィルムで保護した状態を示した縦断面図である。
【符号の説明】
【００５６】
１  第一被覆フィルム
11  光透過部
12  光制限部
13  貼着部
２  第二被覆フィルム
21a 粘着部
３  保護フィルム
Ａ  畝
【図１】
2007185126.tif 000003
【図２】
2007185126.tif 000004
【図３】
2007185126.tif 000005
【図４】
2007185126.tif 000006
【図５】
2007185126.tif 000007
【図６】
2007185126.tif 000008